(57)【特許請求の範囲】
【請求項１】
原稿読取面へ向けて原稿を送り込む第１搬送手段と、前記原稿読取面を通過した原稿を掬い上げる原稿掬い上げ手段と、前記原稿掬い上げ手段によって掬い上げられた原稿を下流側へ向けて搬送する第２搬送手段とが前記原稿読取面に対して開閉可能な筐体に備えられ、前記原稿掬い上げ手段は、前記原稿読取面に向けて先端縁部が先下がりに傾斜した傾斜面を有し、かつ、前記原稿読取面に対する前記傾斜面の先端縁部の高さレベルを略一定に維持するように変位する可動部材を備え、
前記筐体は、前端部と後端部とを有する矩形状を呈し、前記後端部において前記原稿の搬送方向と平行な方向に延びる回動軸の軸回りに回動自在とされ、前記原稿読取面を覆う閉止姿勢と、前記回動軸の軸回りに回動して前記前端部が上方に持ち上げられる開放姿勢との間で姿勢変更が可能であり、
前記可動部材は、前記筐体の前後方向に複数配置され且つ該筐体と一体とされた部材で吊持され、前記傾斜面が先下がりした状態で、前記吊持された部位の回りにそれぞれ回動可能であることを特徴とする原稿自動供給装置。
【請求項２】
前記可動部材は、前記原稿の搬送方向に長径が延びる楕円孔を備え、該可動部材を吊持する前記部材は前記筐体に固定されるボルトであって、
前記ボルトは、そのボルト頭を下方にした状態で、先端側が前記楕円孔を貫通して前記筐体に固定され、前記ボルト頭によって前記可動部材が吊持されていることを特徴とする請求項１記載の原稿自動供給装置。
【請求項３】
前記傾斜面の先端縁部は、当該傾斜面に保持され下方に向かって所定量突出した状態のフィルム部材の先端縁部であることを特徴とする請求項１または２記載の原稿自動供給装置。
【請求項４】
原稿読取面としてのコンタクトガラスを備えた装置本体と、前記原稿読取面へ原稿を自動供給する原稿自動供給装置とを備えてなる画像形成装置において、前記コンタクトガラスへ向けて原稿を送り込む第１搬送手段と、前記コンタクトガラスを通過した原稿を掬い上げる原稿掬い上げ手段と、前記原稿掬い上げ手段によって掬い上げられた原稿を下流側へ向けて搬送する第２搬送手段とが前記コンタクトガラスに対して開閉可能な筐体に備えられ、前記原稿掬い上げ手段は、前記コンタクトガラスに向けて先端縁部が先下がりに傾斜した傾斜面を有し、かつ、前記コンタクトガラス上面に対する前記傾斜面の先端縁部の高さレベルを略一定に維持するように変位する可動部材を備え、
前記筐体は、前端部と後端部とを有する矩形状を呈し、前記後端部において前記原稿の搬送方向と平行な方向に延びる回動軸の軸回りに回動自在とされ、前記原稿読取面を覆う閉止姿勢と、前記回動軸の軸回りに回動して前記前端部が上方に持ち上げられる開放姿勢との間で姿勢変更が可能であり、
前記可動部材は、前記筐体の前後方向に複数配置され且つ該筐体と一体とされた部材で吊持され、前記傾斜面が先下がりした状態で、前記吊持された部位の回りにそれぞれ回動可能であることを特徴とする画像形成装置。
【発明の詳細な説明】
【技術分野】
【０００１】
本発明は、原稿画像を読み取るべく原稿読取面（コンタクトガラス）の上面へ向けて原稿束から１枚ずつの原稿を自動的に送り込むように構成された原稿自動供給装置およびこの装置を備えた画像形成装置に関するものである。
【背景技術】
【０００２】
従来、特許文献１に記載されているような原稿自動供給装置が知られている。この原稿自動供給装置は、複写機やファクシミリ装置等の原稿から画像を読み取るように構成された画像形成装置に適用されるものであり、画像形成装置の装置本体の上面に設けられたプラテン（コンタクトガラス）を開閉自在に覆う筐体と、この筐体の上方に設けられた原稿束を載置する原稿トレイと、この原稿トレイから原稿の１枚ずつを繰り出させてコンタクトガラス上に導く原稿供給機構と、この原稿供給機構によってコンタクトガラス上に供給され、光学系ユニットによる光学的な読み取り処理で原稿面の画像が読み取られた原稿を受ける排紙トレイとを備えている。排紙トレイは、筐体における原稿トレイの下部に対向配置されている。
【０００３】
そして、筐体には、コンタクトガラス上を通過する原稿をコンタクトガラスへ押圧して当該原稿の浮き上がりを規制する規制部材が設けられているとともに、この規制部材の下面にマイラーシートが積層されている。このマイラーシートは、装置本体側に設けられ先端が先鋭に尖った掬い上げガイド部材を介し、コンタクトガラスを通過後の原稿を排紙トレイへ導く先上がりに傾斜したガイド板の上面にまで延設されている。従って、コンタクトガラスとマイラーシートを介して規制部材とに挟持された状態でコンタクトガラス上を通過した原稿は、まず掬い上げ部材とマイラーシートとの間を通過し、引き続きマイラーシートとガイド板とに挟持された状態でこれらの間を進行して排紙トレイに排紙されることになる。ガイド板の上流端は、掬い上げガイド部材の傾斜面の下流端より低位に位置設定され、これによって掬い上げガイド部材を通過した原稿は、ガイド板の上面に確実に案内されることが期待される。
【０００４】
そして、特許文献１には、規制部材の下面にマイラーシートを積層することによりコンタクトガラス上で原稿がばたつくような不都合の発生が防止され、原稿搬送スピードが一定になって原稿の搬送状態が安定化するため、読み取り画像の歪みが防止されると記載されている。
【特許文献１】特開２００３−８７５１０号公報
【発明の開示】
【発明が解決しようとする課題】
【０００５】
ところで、コンタクトガラスを開閉自在に覆う筐体は、通常、装置本体に対して蝶板回りに正逆回動して開閉し得るようになされているとともに、蝶板には筐体の開放動作が容易になるように板ばね等の付勢手段が設けられ、この付勢手段の付勢力で筐体が開放する方向に向けて付勢されているのが一般的であるが、付勢手段の付勢力の変動や異物の噛み込み等によって筐体のコンタクトガラスへの接面状態が変動することがある。
【０００６】
かかる観点で特許文献１の原稿自動供給装置を見てみると、原稿を掬い上げるガイド板が筐体に固定されているため、筐体のコンタクトガラスに対する接面状態の変動に対応することができず、ガイド板が浮き気味にコンタクトガラスに対向すると、原稿が浮き上がったガイド板の先端縁部と衝突したり、最悪の場合、原稿がガイド板とコンタクトガラスとの間の隙間に潜り込んでしまい、これによって原稿を適正に搬送し得なくなるという問題点を有している。
【０００７】
逆に筐体が正規の位置より沈み気味である場合には、筐体を閉止したときにガイド板が装置本体の上面と衝突し、これによってガイド板あるいは装置本体の上面が損傷することがあるという問題点を有している。
【０００８】
本発明は、従来のこのような問題点を解消するためになされたものであり、ガイド板や装置本体上面が損傷することを抑えた上でコンタクトガラスを通過した後の原稿を常に確実に排紙トレイへ向けて送り出すことが可能な原稿自動供給装置およびこの装置を備えた画像形成装置を提供することを目的としている。
【課題を解決するための手段】
【０００９】
本発明の原稿自動供給装置は、原稿読取面へ向けて原稿を送り込む第１搬送手段と、前記原稿読取面を通過した原稿を掬い上げる原稿掬い上げ手段と、前記原稿掬い上げ手段によって掬い上げられた原稿を下流側へ向けて搬送する第２搬送手段とが前記原稿読取面に対して開閉可能な筐体に備えられ、前記原稿掬い上げ手段は、前記原稿読取面に向けて先端縁部が先下がりに傾斜した傾斜面を有し、かつ、前記原稿読取面に対する前記傾斜面の先端縁部の高さレベルを略一定に維持するように変位する可動部材を備え、前記筐体は、前端部と後端部とを有する矩形状を呈し、前記後端部において前記原稿の搬送方向と平行な方向に延びる回動軸の軸回りに回動自在とされ、前記原稿読取面を覆う閉止姿勢と、前記回動軸の軸回りに回動して前記前端部が上方に持ち上げられる開放姿勢との間で姿勢変更が可能であり、前記可動部材は、前記筐体の前後方向に複数配置され且つ該筐体と一体とされた部材で吊持され、前記傾斜面が先下がりした状態で、前記吊持された部位の回りにそれぞれ回動可能であることを特徴とするものである。
【００１０】
かかる構成によれば、原稿送り込み手段の駆動で原稿読取面上に送り込まれた原稿は、所定の光学系読み取り手段によって画像情報が順次読み取られた後、原稿掬い上げ手段によって掬い上げられて排出される。
【００１１】
そして、原稿掬い上げ手段は、原稿読取面に向けて先端縁部が先下がりに傾斜した傾斜面を有し、かつ、筐体の原稿読取面上面への接面高さに応じて先端縁部の高さレベルを略一定に維持するように変位する可動部材を備えているため、閉止したときの筐体の原稿読取面に対する接面状態が変動し、筐体が正規の高さレベルに位置していない場合であっても、可動部材の先端縁部の高さレベルが変位することに当該先端縁部は常に適正な高さレベルに設定される。従って、原稿読取面を通過した原稿は可動部材の先端縁部を介し傾斜面によって常に適正に掬い上げられるため、従来の原稿掬い上げ手段のように筐体に固定されて筐体を基準とした高さレベルが不変のものにあっては、例えば寸法誤差等により筐体の原稿読取面に対する閉止状態に異常が生じた場合に原稿掬い上げ手段が原稿を掬い上げることができなくなるような不都合の生じることがあるが、請求項１の発明では、多少の寸法誤差が存在しても可動部材の傾斜面の先端縁部は常に適正な位置を確保することができ、従って、従来のような不都合が生じることはない。
【００１２】
また、可動部材が装置本体側に当接する際に発生する過負荷による可動部材または装置本体側の関連部材の破損が有効に防止される。
【００１３】
さらに、可動部材が支点回りに回動することにより、原稿読取面の下流側端縁に臨んだ当該可動部材の傾斜面の先端縁部が常に原稿読取面に対して予め設定された同一高さレベルになるため、原稿読取面を通過した原稿は、可動部材の先端縁部を介しその傾斜面によって常に確実に掬い上げられる。
【００１４】
上記構成において、前記可動部材は、前記原稿の搬送方向に長径が延びる楕円孔を備え、該可動部材を吊持する前記部材は前記筐体に固定されるボルトであって、前記ボルトは、そのボルト頭を下方にした状態で、先端側が前記楕円孔を貫通して前記筐体に固定され、前記ボルト頭によって前記可動部材が吊持されていることが望ましい。
【００１５】
また、前記傾斜面の先端縁部は、当該傾斜面に保持され下方に向かって所定量突出した状態のフィルム部材の先端縁部であることが望ましい。
【００１６】
かかる構成によれば、原稿は、可動部材の傾斜面の先端縁部としてのフィルム部材の先端縁部によってより確実に掬い上げられる。
【００１７】
本発明の画像形成装置は、原稿読取面としてのコンタクトガラスを備えた装置本体と、前記原稿読取面へ原稿を自動供給する原稿自動供給装置とを備えてなる画像形成装置において、前記コンタクトガラスへ向けて原稿を送り込む第１搬送手段と、前記コンタクトガラスを通過した原稿を掬い上げる原稿掬い上げ手段と、前記原稿掬い上げ手段によって掬い上げられた原稿を下流側へ向けて搬送する第２搬送手段とが前記コンタクトガラスに対して開閉可能な筐体に備えられ、前記原稿掬い上げ手段は、前記コンタクトガラスに向けて先端縁部が先下がりに傾斜した傾斜面を有し、かつ、前記コンタクトガラス上面に対する前記傾斜面の先端縁部の高さレベルを略一定に維持するように変位する可動部材を備え、前記筐体は、前端部と後端部とを有する矩形状を呈し、前記後端部において前記原稿の搬送方向と平行な方向に延びる回動軸の軸回りに回動自在とされ、前記原稿読取面を覆う閉止姿勢と、前記回動軸の軸回りに回動して前記前端部が上方に持ち上げられる開放姿勢との間で姿勢変更が可能であり、前記可動部材は、前記筐体の前後方向に複数配置され且つ該筐体と一体とされた部材で吊持され、前記傾斜面が先下がりした状態で、前記吊持された部位の回りにそれぞれ回動可能であることを特徴とするものである。
【００１８】
かかる構成によれば、原稿送り込み手段の駆動で原稿読取面上に送り込まれた原稿は、所定の光学系読み取り手段によって画像情報が順次読み取られた後、原稿掬い上げ手段によって掬い上げられて排出される。
【００１９】
そして、原稿掬い上げ手段は、コンタクトガラスに向けて先端縁部が先下がりに傾斜した傾斜面を有し、かつ、コンタクトガラス上面に対する傾斜面の先端縁部の高さレベルを略一定に維持するように変位する可動部材を備えているため、閉止したときの筐体のコンタクトガラスに対する接面状態が変動し、筐体が正規の高さレベルに位置していない場合であっても、可動部材の変位で傾斜面の先端縁部のコンタクトガラスに対する高さレベルが常に一定の適正な高さレベルに設定される。従って、コンタクトガラスを通過した原稿はフィルム部材によって常に適正に掬い上げられるため、従来の原稿掬い上げ手段のように筐体に固定されて筐体を基準とした高さレベルが不変のものにあっては、例えば寸法誤差等により筐体のコンタクトガラスに対する閉止状態に異常が生じた場合に原稿掬い上げ手段が原稿を掬い上げることができなくなるような不都合の生じることがあるが、請求項４の発明では多少の寸法誤差が存在してもかかる不都合が生じることはない。
【００２０】
また、可動部材が装置本体側に当接する際に発生する過負荷による可動部材または装置本体側の関連部材の破損が有効に防止される。
【発明の効果】
【００２１】
本発明の原稿自動供給装置によれば、原稿読取面に向けて先端縁部が先下がりに傾斜した傾斜面を有し、かつ、筐体の原稿読取面に対する傾斜面の先端縁部の高さレベルを略一定に維持するように変位する可動部材を備えているため、原稿読取面を通過した原稿は、可動部材の先端縁部によって常に適正に掬い上げられ、これによって原稿の読み込み不良や、読み込み後の原稿が適正に搬送されなくなるような不都合の発生を常に確実に防止することができる。
【００２２】
また、可動部材が装置本体側に当接する際に発生する過負荷による可動部材または装置本体側の関連部材の破損を有効に防止することができる。
【００２３】
また、可動部材が支点回りに回動することにより、原稿読取面の下流側端縁に臨んだ当該可動部材の傾斜面の先端縁部が常に原稿読取面と同一の平面上に当接した状態になるため、原稿読取面を通過した原稿は、可動部材の先端縁部を介しその傾斜面によって常に確実に掬い上げられ、これによって原稿の搬送不良を確実に防止することができる。
【００２４】
また、可動部材の傾斜面の先端縁部として当該傾斜面に保持され下方に向かって所定量突出した状態のフィルム部材の先端縁部が採用すれば、このフィルム部材の先端縁部によって原稿をより確実に掬い上げることができる。
【００２５】
本発明の画像形成装置によれば、原稿自動供給装置は、コンタクトガラスに向けて先端縁部が先下がりに傾斜した傾斜面を有し、かつ、筐体のコンタクトガラスに対する傾斜面の先端縁部の高さレベルを略一定に維持するように変位する可動部材を備えているため、コンタクトガラスを通過した原稿は、可動部材の先端縁部によって常に適正に掬い上げられ、これによって原稿の読み込み不良や、読み込み後の原稿が適正に搬送されなくなるような不都合の発生を常に確実に防止することができる。
【００２６】
また、可動部材が装置本体側に当接する際に発生する過負荷による可動部材または装置本体側の関連部材の破損を有効に防止することができる。
【発明を実施するための最良の形態】
【００２７】
図１は、本発明に係る原稿自動供給装置が適用された画像形成装置の一実施形態の内部構造の概要を説明するための説明図である。図１に示すように、本実施形態においては、複写機を画像形成装置１０の一例として挙げている。かかる画像形成装置１０は、箱形の装置本体１１の下部に配設された給紙部１２と、この給紙部１２の上方に配設された画像形成部１３と、この画像形成部１３の図１における左方に配設された定着部１４と、装置本体１１の上部に配設された画像読取部１５と、前記給紙部１２から画像形成部１３および定着部１４を経て用紙排出に至る用紙搬送部１６とを備えた基本構成を有している。
【００２８】
前記給紙部１２は、給紙カセット１２１に積層載置された用紙束から用紙Ｐの１枚ずつを用紙搬送部１６へ給紙するようになっている。用紙搬送部１６は、給紙部１２から給紙された用紙Ｐを、搬送ローラ対１６１を介しレジストローラ対１６２によって画像形成部１３に向けて搬送し、さらに画像形成部１３および定着部１４を介した後、排出ローラ対１６３の駆動により装置本体１１の外壁に設けられた排出トレイ１６４へ向けて排出するようになっている。
【００２９】
前記画像形成部１３は、電子写真プロセスによって用紙Ｐに所定のトナー像を転写するものであり、軸心回りに回転可能な感光体ドラム１３１と、この感光体ドラム１３１の周囲にその回転方向に沿って配設された、帯電ユニット１３２、露光ユニット１３３、現像ユニット１３４、転写ユニット１３５、クリーナー１３６および除電ユニット１３７とを備えている。
【００３０】
前記帯電ユニット１３２は、コロナ放電によって感光体ドラム１３１の表面に所定電位を与えるものである。
【００３１】
前記露光ユニット１３３は、前記画像読取部１５によって読み取られた原稿の画像データに基づいてレーザー光を感光体ドラム１３１に照射することにより、感光体ドラム１３１表面の電位を選択的に減衰させて、この感光体ドラム１３１の表面に静電潜像を形成するものである。
【００３２】
前記現像ユニット１３４は、前記静電潜像をトナーにより現像して、感光体ドラム１３１の表面にトナー像を形成するものである。
【００３３】
前記転写ユニット１３５は、感光体ドラム１３１の表面のトナー像を用紙Ｐに転写するものである。
【００３４】
前記クリーナー１３６は、転写後の感光体ドラム１３１の表面に残留しているトナー取り除いて清浄化処理するものであり、除電ユニット１３７は、感光体ドラム１３１の表面の残留電荷を除去するものである。
【００３５】
前記定着部１４は、画像形成部１３で用紙Ｐに転写されたトナーを用紙Ｐへ定着させる処理を施すものであり、前記画像形成部１３の用紙搬送方向の下流側に配置された定着ユニット１４１と、この定着ユニット１４１の下流側に配設されて定着ユニット１４１から排出された用紙Ｐを排出ローラ対１６３へ向けて案内するカバーユニット１４５とを備えて構成されている。定着ユニット１４１は、箱形を呈した定着装置本体１４２と、この定着装置本体１４２に軸心回りに回転可能に軸支されたヒートローラ１４３と、周面がこのヒートローラ１４３の周面に押圧当接された加圧ローラ１４４とを備えている。
【００３６】
画像形成部１３から搬送された用紙Ｐは、ヒートローラ１４３と加圧ローラ１４４との間のニップ部において両者に押圧挟持されながらこれらの回転によって搬送されつつヒートローラ１４３からの熱を得てトナー像の用紙Ｐへの定着処理が施され、カバーユニット１４５および排出ローラ対１６３を介して排出トレイ１６４へ向けて排出される。
【００３７】
そして、本実施形態においては、レジストローラ対１６２、排出ローラ対１６３および定着部１４を含んだ主に用紙搬送部１６からなる、図１に二点鎖線で示した装置本体１１に対して挿脱可能な用紙搬送ユニット１７が設けられている。かかる用紙搬送ユニット１７が装置本体１１に対して挿脱可能に設けられるのは、用紙搬送ユニット１７を装置本体１１から引き出すことによって紙詰まりの解消や各種のメンテナンス作業を容易に行い得るようにするためである。
【００３８】
前記画像読取部１５は、装置本体１１の頂部の矩形状を呈する開口に嵌め込まれたコンタクトガラス（原稿読取面）１５１と、このコンタクトガラス１５１上の原稿Ｐ０（載置原稿Ｐ１または自動給紙原稿（以下自給原稿Ｐ２という））の原稿画像を読み取る光学系ユニット１５２と、原稿トレイ３２に装填された自給原稿Ｐ２の束（原稿束Ｐ３）から１枚ずつの自給原稿Ｐ２を繰り出させてコンタクトガラス１５１へ導く本発明の原稿自動供給装置２０とを備えて構成されている。
【００３９】
前記光学系ユニット１５２は、図略の光源からの光を、コンタクトガラス１５１を介して原稿Ｐ０の原稿面に照射し、その反射光を、所定のミラーを介して光電変換部に設けられたＣＣＤ（ｃｈａｒｇｅ  ｃｏｕｐｌｅｄ  ｄｅｖｉｃｅ（撮像素子））へ導くことによって、原稿の画像情報を読み取るものである。ＣＣＤによって読み取られた画像情報は、デジタル信号に変換された後に前記の露光ユニット１３３へ伝送されるようになっている。
【００４０】
図２は、図１に示す画像形成装置１０の外観を示す斜視図であり、（イ）は、原稿自動供給装置２０がコンタクトガラス１５１に被さって閉止する閉止姿勢Ｓ１に姿勢設定された状態、（ロ）は、原稿自動供給装置２０がコンタクトガラス１５１を開放した開放姿勢Ｓ２に姿勢設定された状態をそれぞれ示している。因みに、図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。 
【００４１】
まず、図２の（イ）に示すように、画像形成装置１０は、縦長の直方体状を呈した装置本体１１の下部に複数の給紙カセット１２１を備えた前記給紙部１２が設けられ、各給紙カセット１２１は、前方に向けて引き出し可能になっている。また、装置本体１１の天板１１２の前方位置には、テンキーや液晶を有する表示板、さらには各種の操作キー等を備えた操作パネル１１１が設けられているとともに、天板１１２には、コンタクトガラス１５１（図１）を覆うように開閉可能な原稿自動供給装置２０が設けられている。
【００４２】
かかる装置本体１１における前面の給紙部１２より上方位置には、開閉可能な前面蓋体１８が設けられている。この前面蓋体１８は、図２に示すように普段は閉止されているが、紙詰りの解消作業時や各種のメンテナンス作業時には、左右のいずれかの方向または下方に向けて開放されるようになっている。
【００４３】
前記コンタクトガラス１５１は、図２の（ロ）に示すように、装置本体１１の頂面の中央部に設けられた大きな矩形状を呈する原稿載置用ガラス１５１ａと、この原稿載置用ガラス１５１ａの左方に隣接して設けられた前後方向に長尺の原稿自動読取用ガラス１５１ｂとからなっている。原稿載置用ガラス１５１ａは、主にブック原稿などの厚手の原稿Ｐ０（載置原稿Ｐ１）がその原稿面を下にして載置されるものであり、原稿自動供給装置２０が開放姿勢Ｓ２に姿勢設定された状態で載置原稿Ｐ１が原稿載置用ガラス１５１ａ上に載置され（図２の（ロ））、原稿自動供給装置２０が閉止姿勢Ｓ１（図２の（イ））に姿勢変更された状態で前記光学系ユニット１５２（図１）による走査によって載置原稿Ｐ１の原稿画像が読み取られるようになっている。
【００４４】
これに対し、原稿自動読取用ガラス１５１ｂは、原稿自動供給装置２０から自動給紙された原稿Ｐ０（自給原稿Ｐ２）が通過させられるものであり、この自給原稿Ｐ２が原稿自動読取用ガラス１５１ｂを通過中にその原稿面の原稿画像が光学系ユニット１５２によって読み取られるようになっている。なお、原稿載置用ガラス１５１ａには、ブック原稿等の厚手の原稿Ｐ０が載置されることに限定されるものではなく、枚葉紙からなる１枚の原稿を載置してもよい。
【００４５】
前記原稿自動供給装置２０は、装置本体１１の天板１１２の後縁部に設けられた左右方向一対の蝶板１９回りに正逆回動する筐体３０と、この筐体３０に内装された原稿送り込み手段４０と、この原稿送り込み手段４０によって原稿自動読取用ガラス１５１ｂへ送り込まれた自給原稿Ｐ２を掬い上げる原稿掬い上げ手段５０とを備えて構成されている。
【００４６】
前記筐体３０は、コンタクトガラス１５１より若干広く面積設定された矩形状の底板３１上に原稿束Ｐ３を載置する原稿トレイ３２と、前記原稿送り込み手段４０が収容される原稿送り込み手段収容部３３と、原稿画像が読み取られた後の自給原稿Ｐ２が排出される排出トレイ３４とが形成されることによって構成されている。
【００４７】
前記原稿送り込み手段収容部３３は、底板３１の中央部より若干左寄りの位置に設けられているとともに、前記原稿トレイ３２は、この原稿送り込み手段収容部３３の右面上部から右方に向けて突設されている一方、前記排出トレイ３４は、原稿送り込み手段収容部３３の右面下部から右方に向けて延設され、原稿自動供給装置２０が閉止姿勢Ｓ１に姿勢設定された状態で画像情報が読み取られた自給原稿Ｐ２は、原稿送り込み手段収容部３３の右面の上下方向中央部から原稿トレイ３２の下方に位置した排出トレイ３４へ向けて排出されるようになっている。
【００４８】
図３は、原稿自動供給装置２０の一実施形態を示す正面断面視の説明図である。以下、図３を基に原稿自動供給装置２０の構成要素である原稿送り込み手段４０について説明する。なお、図３におけるＹによる方向表示は、図２の場合と同様（−Ｘ：左方、＋Ｘ：右方）である。
【００４９】
図３に示すように、原稿送り込み手段４０は、原稿トレイ３２上に載置された原稿束Ｐ３から自給原稿Ｐ２の１枚ずつを繰り出させるピックアップローラ（原稿送り込み手段）４１と、このピックアップローラ４１の直下流側（左方側）に設けられた送り込みベルト４２と、この送り込みベルト４２の直下に当接状態で従動可能に設けられた送り込みローラ４３と、これら送り込みベルト４２および送り込みローラと４３の下流側に設けられた中継ローラ対４４と、この中継ローラ対４４の斜め下左方位置に設けられた大輪のレジストローラ（第１搬送手段）４５と、このレジストローラ４５の左方下部位置で周面が当該レジストローラ４５の周面と押圧当接するように設けられた小輪の位置決めローラ４６とを備えて構成されている。
【００５０】
前記送り込みベルト４２は、ピックアップローラ４１の直下流側に設けられた駆動ローラ４２１と、下流側でこの駆動ローラ４２１と対向配置された従動ローラ４２２間に張設され、駆動ローラ４２１の駆動回転によって駆動ローラ４２１および従動ローラ４２２間を反時計方向に向けて周回するようになされている。
【００５１】
そして、筐体３０の原稿送り込み手段収容部３３内には、これらピックアップローラ４１，送り込みベルト４２、送り込みローラと４３、中継ローラ対４４およびレジストローラ４５に沿って原稿搬送路４７が形成され、ピックアップローラ４１がピックアップして原稿束Ｐ３から繰り出させた自給原稿Ｐ２は、この原稿搬送路４７を通って停止した状態のレジストローラ４５と位置決めローラ４６とのニップ部へ向けて搬送されるようになっている。
【００５２】
前記レジストローラ４５は、光学系ユニット１５２による原稿自動読取用ガラス１５１ｂを介した原稿画像の読み取り処理に同期して駆動が開始されるようになっている。従って、レジストローラ４５と位置決めローラ４６とのニップ部で停止されていた自給原稿Ｐ２は、レジストローラ４５の駆動によって光学系ユニット１５２の読み取り走査処理と同期するように原稿自動読取用ガラス１５１ｂへ向けて搬送され、原稿自動読取用ガラス１５１ｂを通過するときに原稿面の原稿情報が読み取られることになる。
【００５３】
光学系ユニット１５２によって原稿面の原稿情報が読み取られた自給原稿Ｐ２は、その後原稿掬い上げ手段５０によって掬い上げられ、所定のアイドルローラ４８を介し駆動回転している排出ローラ対（第２搬送手段）４９によって排出トレイ３４へ排出される。
【００５４】
前記原稿掬い上げ手段５０は、筐体３０の原稿送り込み手段収容部３３内におけるレジストローラ４５の斜め右下位置に設けられている。図４は、原稿掬い上げ手段５０の一実施形態を示す一部切欠き拡大斜視図であり、図５は、筐体３０の裏面側から原稿掬い上げ手段５０を見た斜視図である。なお、図４および図５におけるＸおよびＹによる方向表示は図２の場合と同様（Ｘは左右方向（−Ｘ：左方、＋Ｘ：右方）、Ｙは前後方向（−Ｙ：前方、＋Ｙ：後方））である。
【００５５】
まず、図４に示すように、原稿掬い上げ手段５０は、前記原稿自動読取用ガラス１５１ｂの下流側端縁（右側端縁）に臨んで配設された掬い上げ部材（可動部材）５１と、この掬い上げ部材５１の水平方向への移動を規制した状態で当該掬い上げ部材５１の先端縁部（左端縁部）の昇降を許容する昇降許容部材５２と、前記掬い上げ部材５１によって掬い上げられた自給原稿Ｐ２を前記レジストローラ４５とで挟持して搬出する搬出ローラ（搬出手段）５３と備えて構成されている。
【００５６】
前記昇降許容部材５２は、本実施形態においては、図５に示すように、前後方向で一対が設けられているのに対し、前記搬出ローラ５３は、本実施形態においては、前後方向で５つ設けられている。但し、本発明は、昇降許容部材５２が一対で設けられることに限定されるものではなく、また、搬出ローラ５３が５つ設けられることに限定されるものではなく、状況に応じて適宜最適の個数が設定される。
【００５７】
前記掬い上げ部材５１は、原稿載置用ガラス１５１ａと原稿自動読取用ガラス１５１ｂとの間の天板１１２と対向した前後方向に延びる平板５１１と、この平板５１１の左端縁から右方に向かって先上がりに傾斜し左面に自給原稿Ｐ２を掬い上げる傾斜面５１２ａを備えた傾斜板５１２と、この傾斜板５１２の傾斜面５１２ａに貼設される合成樹脂製のフィルム（フィルム部材）５１３とを備えて構成されている。
【００５８】
前記傾斜板５１２は、本実施形態においては、平板５１１に対する傾斜角度が略６０°に設定されているが、６０°であることに限定されるものではなく、状況に応じて適宜最適の角度が設定される。
【００５９】
前記フィルム５１３は、上下幅寸法が傾斜板５１２のそれより長めに設定され、下端縁部が傾斜板５１２の下端縁部より下方に向けて若干突出され、これによってフィルム５１３の下端縁部が装置本体１１の天板１１２に当接している。また、フィルム５１３の上端縁部も傾斜板５１２の上端縁部より上方に向けて相当量突出され、これによってフィルム５１３は、掬い上げられた自給原稿Ｐ２を排出トレイ３４へ向けてガイドする役割を担うようになっている。
【００６０】
前記昇降許容部材５２は、筐体３０内において原稿載置用ガラス１５１ａの左縁部と対向する位置に当該筐体３０と一体に設けられた所定のフレーム３５から左方に向かって突設されたブラケット５２１と、このブラケット５２１に対応するように掬い上げ部材５１の平板５１１から押し起こし状態で上方に向けて膨設された膨設部５２２と、この膨設部５２２の天井５２２ａに穿設された楕円孔５２２ｂに下から貫通された状態で先端が前記ブラケット５２１に固定されたボルト（支点部材）５２３とを備えて構成されている。前記楕円孔５２２ｂは、長径が左右方向に延びるように方向設定されている。
【００６１】
前記ボルト５２３は、径寸法が前記楕円孔５２２ｂの短径寸法より僅かに小さく設定され、ボルト５２３が楕円孔５２２ｂに貫通された状態で前後方向への移動が規制される一方、左右方向に延びる垂直面に沿い頭部５２３ａの適所を支点として揺動し得るようになっている。このことは、フィルム５１３の下端縁部が頭部５２３ａの適所を支点として上下に揺動することを示している。
【００６２】
前記搬出ローラ５３は、前記フレーム３５から左方に向けて突設されたハウジング３６内に装着されている。このハウジング３６は、略三角形状を呈した前後方向一対の側板３６１と、各側板３６１の上縁部間に架設された左方へ向かって先下がりの傾斜天板３６２とからなっている。各側板３６１の略中央部間には支持軸５３２が架設されているとともに、この支持軸５３２に二股状のローラ支持アーム５３３が回動可能に装着されている。かかるローラ支持アーム５３３の左端部に搬出ローラ５３のローラ軸５３１が装着され、これによって搬出ローラ５３はローラ支持アーム５３３の左端部でローラ軸５３１回りに回転可能になっている。また、傾斜天板３６２には、搬出ローラ５３と対向した部分に角窓３６３が開口され、搬出ローラ５３は、周面の一部がこの角窓３６３から外部に突出している。
【００６３】
一方、掬い上げ部材５１の傾斜板５１２およびフィルム５１３には、搬出ローラ５３と対向した部分に上縁部から切り欠かれることによって形成した切欠き凹部５１４が設けられ、搬出ローラ５３は、この切欠き凹部５１４から角窓３６３を介して外部に突出しレジストローラ４５の周面と対向するようになされている。
【００６４】
そして、ハウジング３６内には、ローラ支持アーム５３３の支持軸５３２より右側の部分と傾斜天板３６２との間に介設された圧縮コイルスプリング５３４が設けられ、この圧縮コイルスプリング５３４の付勢力で搬出ローラ５３の周面がレジストローラ４５の周面に押圧当接している。従って、レジストローラ４５が駆動回転すると、搬出ローラ５３はそれに伴って従動回転することになる。
【００６５】
一方、筐体３０の原稿送り込み手段収容部３３内には、当該筐体３０が閉止姿勢Ｓ１に姿勢設定された状態で、原稿自動読取用ガラス１５１ｂより若干左方位置に自給原稿Ｐ２を原稿自動読取用ガラス１５１ｂへ向かわせる上流側ガイド板４８１が設けられているとともに、原稿自動読取用ガラス１５１ｂの直上位置に自給原稿Ｐ２を原稿自動読取用ガラス１５１ｂの上面へ対向させるための対向板４８２が設けられ、さらに、原稿自動読取用ガラス１５１ｂの直下流側には、原稿自動読取用ガラス１５１ｂを通過した自給原稿Ｐ２を掬い上げ部材５１へガイドするための下流側ガイド板４８３が設けられている。
【００６６】
前記下流側ガイド板４８３は、原稿自動読取用ガラス１５１ｂへ向かって先下がりに傾斜した原稿掬い上げ部４８３ａと、この原稿掬い上げ部４８３ａの下流端（右端）下部から下流側に向けて延設された前後方向に延びる平板部４８３ｂとからなっている。前記平板部４８３ｂは、その右縁部が掬い上げ部材５１の左縁部より右方に位置するように左右幅寸法が設定され、筐体３０が閉止姿勢Ｓ１（図２の（イ））に姿勢設定された状態で、図４に示すように、フィルム５１３の下縁部および掬い上げ部材５１の左縁部が平板部４８３ｂ上に載るようになっている。これら上流側ガイド板４８１、対向板４８２および下流側ガイド板４８３の存在で自給原稿Ｐ２が確実に原稿自動読取用ガラス１５１ｂへ送り込まれた後に確実に掬い上げ部材５１へ向かわせられるようになっている。
【００６７】
図６は、原稿掬い上げ手段５０の作用を説明するための説明図であり、（イ）は、掬い上げ部材５１の下流側ガイド板４８３に対する相対的な位置関係が正常な状態、（ロ）は、掬い上げ部材５１あるいは筐体３０が取り付け誤差等により正常な高さレベルより下位に取り付けられた状態をそれぞれ示している。なお、図６におけるＸによる方向表示は図２の場合と同様（−Ｘ：左方、＋Ｘ：右方）である。
【００６８】
まず、図６の（イ）に示すように、掬い上げ部材５１が正常な高さレベルに設定された状態では、原稿自動供給装置２０（図２）が閉止姿勢Ｓ１に姿勢設定された場合において掬い上げ部材５１の右縁部が下流側ガイド板４８３の平板部４８３ｂと同一平面から距離ｄだけ浮き上がった状態とされ、これによって掬い上げ部材５１は、ボルト５２３を境にして左側の方が重いことにより左端縁部が平板部４８３ｂの上面に当止した状態になっている。また、フィルム５１３は、その下端部が上に凹に弾性変形して平板部４８３ｂの上面に密着している。従って、この状態では原稿自動読取用ガラス１５１ｂへ向けて送り込まれた自給原稿Ｐ２は、下流側ガイド板４８３を介し掬い上げ部材５１のフィルム５１３によって確実に掬い上げられる。
【００６９】
これに対し蝶板１９に設けられた図略の板ばね等の付勢手段の付勢力の具合が変動したり、筐体３０の底板３１と装置本体１１の天板１１２との間に異物が噛み込んだり、あるいは製造時の組み付け誤差や寸法誤差等により掬い上げ部材５１の高さレベルが正常な高さレベルより下位になってしまったような場合、従来であれば原稿自動供給装置２０を閉止することにより掬い上げ部材５１の傾斜板５１２の下端縁部が下流側ガイド板４８３の平板部４８３ｂと衝突し、これによって掬い上げ部材５１あるいは下流側ガイド板４８３が損傷するという不都合が生じるのである。
【００７０】
しかしながら、本発明においては、掬い上げ部材５１が、図６の（ロ）に示すように、フレーム３５のブラケット５２１に装着されたボルト５２３の頭部５２３ａに吊持された状態になっているため、掬い上げ部材５１の左端縁部が下流側ガイド板４８３の平板部４８３ｂに当接した後、ボルト５２３の頭部５２３ａ回りに時計方向に向けて回動し、これによって原稿掬い上げ手段５０あるいは筐体３０の組み付け誤差や寸法誤差等による不具合が解消され、掬い上げ部材５１あるいは下流側ガイド板４８３が損傷するような不都合は生じることはない。
【００７１】
これとは逆に掬い上げ部材５１の高さレベルが正常な高さレベルより上位になってしまったような場合、掬い上げ部材５１は、左方が右方より重くなっていることにより頭部５２３ａの適所を支点として反時計方向に回動し、掬い上げ部材５１の平板５１１の右端縁が装置本体１１の前記距離ｄよりさらに浮き上がった状態になるだけであり、掬い上げ部材５１の左端部の下流側ガイド板４８３に対する当接状態に変化がなく、従って自給原稿Ｐ２は、掬い上げ部材５１によって確実に掬い上げられることになる。
【００７２】
従って、下流側ガイド板４８３を過ぎた自給原稿Ｐ２が掬い上げ部材５１の下に潜り込んでしまい、掬い上げ部材５１によって掬い上げることができなくなるような不都合が生じることはない。
【００７３】
以上詳述したように、本発明に係る原稿自動供給装置２０は、原稿画像を読み取るべく画像形成装置１０の原稿自動読取用ガラス１５１ｂの上面へ向けて自給原稿Ｐ２を送り込むピックアップローラ４１と、原稿自動読取用ガラス１５１ｂに到達した自給原稿Ｐ２を掬い上げる原稿掬い上げ手段５０とが原稿自動読取用ガラス１５１ｂに対して開閉可能な筐体３０に設けられてなるものであるため、ピックアップローラ４１の駆動で原稿自動読取用ガラス１５１ｂ上に送り込まれた自給原稿Ｐ２は、光学系ユニット１５２によって画像情報が順次読み取られた後、原稿掬い上げ手段５０によって掬い上げられて排出トレイ３４へ排出される。
【００７４】
そして、原稿掬い上げ手段５０は、筐体３０を原稿自動読取用ガラス１５１ｂに対し閉止した状態で原稿自動読取用ガラス１５１ｂに臨んだ掬い上げ部材５１の傾斜板（傾斜面）５１２の原稿自動読取用ガラス１５１ｂに対する高さレベルが一定に維持されるように構成されているため、たとえ蝶板１９のばねの調子や異物の噛み込み、さらには寸法誤差等によって原稿自動読取用ガラス１５１ｂを閉止した筐体３０が正規の高さレベルに位置していない場合であっても、掬い上げ部材５１の昇降許容部材５２の先端縁部の原稿自動読取用ガラス１５１ｂに対する高さレベルが変化することがないため、原稿自動読取用ガラス１５１ｂを通過した自給原稿Ｐ２は原稿掬い上げ手段５０によって常に適正に掬い上げられ、結果として自給原稿Ｐ２の読み込み不良が生じるような不都合の発生を常に確実に防止することができる。
【００７５】
また、掬い上げ部材５１が下流側ガイド板４８３の平板部４８３ｂに当接する際に掬い上げ部材５１の揺動によって過負荷が生じることはなく、従って、過負荷により掬い上げ部材５１または下流側ガイド板４８３が破損するような不都合の発生を確実に防止することができる。
【００７６】
そして、このように原稿掬い上げ手段５０を、原稿自動読取用ガラス１５１ｂの下流側端縁に臨んで配設された先上がりの傾斜面５１２ａを有する掬い上げ部材５１と、この掬い上げ部材５１の水平方向への移動を規制した状態で先端縁部の昇降を許容する昇降許容部材５２とを備えて構成することにより、原稿自動読取用ガラス１５１ｂを通過した自給原稿Ｐ２は、原稿自動読取用ガラス１５１ｂの下流側端縁に臨んで配設された先上がりの傾斜面５１２ａを有する掬い上げ部材５１によって掬い上げられ、当該傾斜面５１２ａを通って排出される。そして、掬い上げ部材５１は、昇降許容部材５２により水平方向への移動が規制された状態で傾斜面５１２ａの先端縁部が昇降して常に原稿自動読取用ガラス１５１ｂを通過した自給原稿Ｐ２の先端に対応するため、自給原稿Ｐ２を掬い上げ部材５１によって確実に掬い上げることができる。
【００７７】
また、昇降許容部材５２は、掬い上げ部材５１を頭部５２３ａ回動可能に支持するボルト５２３を備えているため、筐体３０を閉止したときに掬い上げ部材５１の傾斜面５１２ａの下縁部が原稿自動読取用ガラス１５１ｂが装着されている装置本体１１の上面と干渉することによりボルト５２３の支点回りに回動し、これによって掬い上げ部材５１の傾斜面５１２ａの下縁部を原稿自動読取用ガラス１５１ｂに対して常に適正な高さレベルに設定することができる。
【００７８】
さらに、筐体３０には、原稿掬い上げ手段５０が掬い上げた自給原稿Ｐ２を搬出する搬出ローラ５３や排出ローラ対４９が設けられているため、原稿掬い上げ手段５０によって掬い上げられた自給原稿Ｐ２を常に適正に搬出することができる。
【００７９】
本発明は上記の実施形態に限定されるものではなく、以下の内容をも包含するものである。
【００８０】
（１）上記の実施形態においては、原稿自動供給装置２０が適用される画像形成装置１０として複写機が採用されているが、本発明は、原稿自動供給装置２０が適用される画像形成装置１０が複写機であることに限定されるものではなく、ファクシミリ装置やスキャナーであってもよい。
【００８１】
（２）上記の実施形態においては、昇降許容部材５２をフレーム３５から突設されたブラケット５２１と、掬い上げ部材５１の平板５１１に膨設された膨設部５２２と、この膨設部５２２およびブラケット５２１の間に介設されるボルト５２３とにより構成し、掬い上げ部材５１をボルト５２３の頭部５２３ａ回りに揺動可能にしているが、こうする代わりに、掬い上げ部材５１の上下方向に向かう平行移動を案内するガイドレールなどの平行昇降案内部材を設け、この平行昇降案内部材の案内で掬い上げ部材５１を昇降可能に構成してもよい。こうすることで、掬い上げ部材５１は、筐体３０が閉止されたときに原稿自動読取用ガラス１５１ｂが装着されている装置本体１１の上面と干渉することにより平行昇降案内部材に案内されて昇降するため、常に適正な高さレベルが設定された状態にすることができる。
【００８２】
（３）上記の実施形態においては、掬い上げ部材５１は、フィルム５１３が設けられている側（先端側）の自重によって先端側がボルト５２３回りに下方に向かう力を受けるようになされているが、こうする代わりに例えばブラケット５２１と掬い上げ部材５１との間にコイルスプリングなどの所定の付勢手段を介設し、この付勢手段の付勢力で掬い上げ部材５１を先下がりになるように付勢してもよい。
【００８３】
（４）上記の実施形態においては、掬い上げ部材５１の先端縁部が下流側ガイド板４８３の平板部４８３ｂに当接した状態でフィルム５１３が上に凹に湾曲するようになされているが、フィルム５１３として湾曲し難い腰の強いものを採用した場合には、当該フィルム５１３の先端縁部を本発明に係る掬い上げ部材（可動部材）５１の先端縁部として機能させることができる。
【００８４】
（５）図７は、原稿掬い上げ手段５０′の他の実施形態を示す一部切欠き拡大斜視図である。なお、図７におけるＸおよびＹによる方向表示は図２の場合と同様（Ｘは左右方向（−Ｘ：左方、＋Ｘ：右方）、Ｙは前後方向（−Ｙ：前方、＋Ｙ：後方））である。この実施形態の原稿掬い上げ手段５０′においては、先の実施形態における各搬出ローラ５３毎に採用された複数個の小さなハウジング３６に代えて複数の搬出ローラ５３を収容可能に構成された大きな合成樹脂製の大ハウジング３７が採用されている点が先の実施形態の原稿掬い上げ手段５０の場合と異なる基本的な相違点である。
【００８５】
そして、本実施形態に係る大ハウジング３７は、前記筐体３０のフレーム３５にボルト止めで固定される天板３７１と、この天板３７１の前縁部から左方に向かって先下がりに延設された、前記掬い上げ部材５１の傾斜板５１２の裏面側に沿う左方傾斜板３７２と、天板３７１の右縁部から垂下された右方垂下板３７３と、天板３７１の前後の縁部から垂下された前後方向一対の側板３７４とを備えて構成され、下面は開放状態とされている。
【００８６】
そして、先の実施形態の小さなハウジング３６を大きな大ハウジング３７に代えたことに伴い、詳細な部分で先の実施形態とは相違した構造が各所で採用されている。まず、先の実施形態では、原稿掬い上げ手段５０を支持するフレーム３５として支持面が上下方向に延びたものが採用されていたが、本実施形態においては、支持面が水平方向に延びたフレーム３５′を採用している。従って、天板３７１の上面をフレーム３５′の下面に密着させた状態で両者をボルト止めすることにより大ハウジング３７がフレーム３５′を介して筐体３０と一体化している。
【００８７】
つぎに、先の実施形態においては、前記天板３７１をローラ支持アーム５３３を支持するための支持軸５３２がハウジング３６の側板３６１に貫通支持されていたのに対し、本実施形態においては、天板３７１から前後方向一対の垂下板片３７５を垂下し、支持軸５３２をこれら一対の垂下板片３７５間に架設している。
【００８８】
また、先の実施形態においては、フレーム３５から突設されたブラケット５２１と、このブラケット５２１の先端に下方から螺着されるボルト５２３と、掬い上げ部材５１の掬い上げ部材５１に形成された前記ボルト５２３が貫通される膨設部５２２とから昇降許容部材５２が構成されているのに対し、本実施形態では、先の実施形態のブラケット５２１に代えて大ハウジング３７の天板３７１から下方に向けて突設されたナット部材５２１′が採用されて昇降許容部材５２′が構成され、このナット部材５２１′にボルト５２３を螺着するようにしている。
【００８９】
原稿掬い上げ手段５０′におけるその他の構成については、作用効果も含めて先の原稿掬い上げ手段５０のものと同様であるが、特に大ハウジング３７を採用したことにより、当該大ハウジング３７をフレーム３５′に固定するだけで原稿掬い上げ手段５０′を筐体３０に一体的に装着することが可能になり、先の実施形態のように各ハウジング３６を溶接処理等によってフレーム３５に一々固定しなければならないものと比べて組み付け工数が減少し、組み付けコストの低減化を実現させることができる。
【図面の簡単な説明】
【００９０】
【図１】本発明に係る原稿自動供給装置が適用された画像形成装置の一実施形態の内部構造の概要を説明するための説明図である。
【図２】図１に示す画像形成装置の外観を示す斜視図であり、（イ）は、原稿自動供給装置がコンタクトガラスに被さって閉止する閉止姿勢に姿勢設定された状態、（ロ）は、原稿自動供給装置がコンタクトガラスを開放した開放姿勢に姿勢設定された状態をそれぞれ示している。
【図３】原稿自動供給装置の一実施形態を示す正面断面視の説明図である。
【図４】原稿掬い上げ手段の一実施形態を示す一部切欠き拡大斜視図である。
【図５】筐体の裏面側から原稿掬い上げ手段を見た斜視図である。
【図６】原稿掬い上げ手段の作用を説明するための説明図であり、（イ）は、掬い上げ部材が正常な高さレベルに取り付けられた状態、（ロ）は、掬い上げ部材が取り付け誤差により正常な高さレベルより上位に取り付けられた状態をそれぞれ示している。
【図７】原稿掬い上げ手段の他の実施形態を示す一部切欠き拡大斜視図である。
【符号の説明】
【００９１】
１０  画像形成装置          １１  装置本体
１１１  操作パネル          １１２  天板
１２  給紙部                １２１  給紙カセット
１３  画像形成部            １３１  感光体ドラム
１３２  帯電ユニット        １３３  露光ユニット
１３４  現像ユニット        １３５  転写ユニット
１３６  クリーナー          １３７  除電ユニット
１４  定着部                １４１  定着ユニット
１４２  定着装置本体        １４３  ヒートローラ
１４４  加圧ローラ          １４５  カバーユニット
１５  画像読取部            １５１  コンタクトガラス（原稿読取面）
１５１ａ  原稿載置用ガラス  １５１ｂ  原稿自動読取用ガラス
１５２  光学系ユニット      １６  用紙搬送部
１６１  搬送ローラ対        １６２  レジストローラ対
１６３  排出ローラ対        １６４  排出トレイ
１７  用紙搬送ユニット      １８  前面蓋体
１９  蝶板                  ２０  原稿自動供給装置
３０  筐体                  ３１  底板
３２  原稿トレイ            ３３  原稿送り込み手段収容部
３４  排出トレイ            ３５，３５′  フレーム
３６  ハウジング            ３６１  側板
３６２  傾斜天板            ３６３  角窓
３７  大ハウジング          ３７１  天板
３７２  左方傾斜板          ３７３  右方垂下板
３７４  側板                ３７５  垂下板片
４０  原稿送り込み手段      ４１  ピックアップローラ（原稿送り込み手段）
４２  送り込みベルト        ４２１  駆動ローラ
４２２  従動ローラ          ４４  中継ローラ対
４５  レジストローラ（第１搬送手段）
４６  位置決めローラ        ４７  原稿搬送路
４８  アイドルローラ        ４８１  上流側ガイド板
４８２  対向板              ４８３  下流側ガイド板
４８３ａ  原稿掬い上げ部    ４８３ｂ  平板部
４９  排出ローラ対（第２搬送手段）
５０，５０′  原稿掬い上げ手段
５１  掬い上げ部材（可動部材）
５１１  平板                ５１２  傾斜板（傾斜面）
５１２ａ  傾斜面            ５１３  フィルム（フィルム部材）
５１４  切欠き凹部          ５２，５２′  昇降許容部材
５２１  ブラケット          ５２１′  ナット部材
５２２  膨設部              ５２２ａ  天井
５２２ｂ  楕円孔            ５２３  ボルト（支点部材）
５２３ａ  頭部              ５３  搬出ローラ（搬出手段）
５３１  ローラ軸            ５３２  支持軸
５３３  ローラ支持アーム    ５３４  圧縮コイルスプリング
Ｐ  用紙                    Ｐ０  原稿
Ｐ１  載置原稿              Ｐ２  自給原稿
Ｐ３  原稿束                Ｓ１  閉止姿勢
Ｓ２  開放姿勢
【図１】
0004531693.tif 000002
【図２】
0004531693.tif 000003
【図３】
0004531693.tif 000004
【図４】
0004531693.tif 000005
【図５】
0004531693.tif 000006
【図６】
0004531693.tif 000007
【図７】
0004531693.tif 000008